(57)【要約】クレーンで吊り下げられて資材を移動させらための建設現場用のホイストである。このホイストは、「Ｃ」形状で、上部アームにクレーンのケーブルでから吊り下げられ、下部アームにはフックがある。フックは、垂直に移動可能であり、これにより建設現場における資材を持ち上げ、移動することができる。このホイストは、横方向に開いた形態により、最小の作業員でしかもクレーン操作を主にして、床と床の間の空間に資材を運び入れることができる。
2006517271.tif 000002
【特許請求の範囲】
【請求項１】
クレーンから吊り下げられるホイストであって、
・２つのアームをもつ「Ｃ」形状フレーム；
・前記フレームの上部アームの先端部にあり、床面上を滑る滑り手段；
・クレーンに接続されるための吊り下げケーブル；
・前記フレームの下部アームに接続され、前記フレームの荷台を吊り下げるためのフック手段；を含んで構成されることを特徴とする建築資材移動用ホイスト。
【請求項２】
前記吊り下げケーブルが、前記フレームが床面に載せられたとき、前記フックと前記フレームとの距離を調整するに使用されることを特徴とする請求項１記載の建築資材移動用ホイスト。
【請求項３】
前記滑り手段が、車であることを特徴とする請求項１記載の建築資材移動用ホイスト。
【請求項４】
前記フック手段が、前記フレームに関し少なくとも垂直方向に移動可能であることを特徴とする請求項１記載の建築資材移動用ホイスト。
【請求項５】
前記フック手段が、前記フレームの下部アームに沿って水平方向に移動可能であることを特徴とする請求項１記載の建築資材移動用ホイスト。
【請求項６】
クレーンから吊り下げられたホイストによる建築資材の移動方法であって、
前記ホイストが、実質的に平行な２つのアームが１つのクロス部材により連結された「Ｃ」形状で、前記２つのアームの一方が資材を保持し、他方が建物の床面上をスライドするようにされていることを特徴とする建築資材の移動方法。
【発明の詳細な説明】
【技術分野】
【０００１】
本発明は、一般には建設業で使用される補助設備に関し、特に、建設現場においての建築資材の持ち上げる設備に関するものである。
【背景技術】
【０００２】
建築資材および関連する道具類の移動は、建設現場の作業者らにとって大変労働となっている。建築資材を、荷降ろし場所から使用する場所に移動させるのは、機械的な仕事であり、しばしばクレーンや種々の他の機械装置が使用されている。
【発明の開示】
【発明が解決しようとする課題】
【０００３】
本発明は、建設作業の基本作業である建築資材の移動において、コストを最小限にし、労働量を減らし、作業速度を上げ、労働を単純化するための手段を提供することにある。
【課題を解決するための手段】
【０００４】
本発明に係るホイストは、実質的に平行な２つのアームが１つのクロス部材により連結された「Ｃ」形状の組立物またはフレームである。このホイストは、クレーンに吊り下げられて横と縦の両方に動くようになっている。
【発明を実施するための最良の形態】
【０００５】
この発明のホイストは、資材を取付けるフック、代表的には床面上を滑る車またはそり（橇）、および資材の取付け／取外しを制御するなどホイストを操作するケーブルシステムをもつ組立物である。機能面から、本発明のホイストは、横から自由に接近できるような空間をもつ複数の床面が列になっている建設現場で使用可能である。      
【０００６】
この機能は、図１〜３を参照して説明される。図１には、ホイスト５０が、クレーン（図示されていない）に繋がれたケーブル５２に吊り下げられて、ぶら下がった位置にある状態が図示されている。ケーブル５４には、建築資材（図示されていない）の荷台５６が取付けられている。フレームの上部アームの前側先端部には滑り車５８があり、床面６０の方向に向かっている。建物のこの床面および他の全ての床面は、柱６２のような柱によって保持されている。      
【０００７】
図２は、ホイストがクレーンケーブルに吊り下げられた状態であり、ホイスト５０が矢印６８の方向に押され、床面６０の上方に進む。同時に、ホイスト５０は、ケーブル５２が矢印７０の方向に下げられ、滑り車５８が床面６０の上面に載るようになる。ケーブル５２がさらに延長されると、滑り車５８を中心にして全ホイスト５０が回転され、荷台５６を矢印６８および７０の方向に移動させる。      
【０００８】
図３では、以上の操作が終わった後のホイスト５０の状態を示している。ホイストのフレーム２２は、支持体７４の上に載っている。ホイストが支持体７４のよって床面６０にしっかりと載っているので、ケーブル５２は最早力が加わっていない。しかしながら、ホイストのフレームが床面に直接載るようにすれば、一般にそのような支持体は必要ないかもしれない。      
【０００９】
図４，５を参照すれば、本発明の好ましいホイスト構造が図示されており、本発明の好ましい実施の形態における構造と機能が説明される。ホイスト８０には、フレーム８２、滑り車８４、ケーブル９０を支えるプーリ群８６〜８９、フック９２、ケーブル固定部９４、およびフレーム支持体９６がある。この図では、ホイストが空中に吊り下げられ、建築資材（図示されていない）の荷台がフック９２に引っ掛けられているように示されている。
【００１０】
図からわかるように、プーリ８８の軸はフレーム８２に接続され、プーリ８９の軸はフレームに固定されずにフック９２にのみ接続され、プーリ８８とプーリ８９は、近接して位置している。ケーブル９０は、最上部がクレーンに直接あるいは間接的に接続され、最下部がケーブル固定部９４に接続されており、このケーブル９０の引っ張り具合によってプーリ８８とプーリ８９の距離が決まる。
【００１１】
プーリ群−ケーブルの状態は、ホイストが床面にくると変る。これは図５に概略で示されている。図のタイル板１１０は、ホイストが載る床面を表わしている。ホイストが床面１１０に載ると、ホイストの位置は動かずに、ケーブル１１２が緩められる。しかしながら、そのケーブルの緩みは、ホック１１４を下げるように形を変えることになる。      
【００１２】
図でわかるように、プーリ１１８は、フレーム１２０に接続されず、フック１１４に接続されているので、プーリ１１６とプーリ１１８は互いに離れていく。リフトケーブル１１２が引かれると、その力がフック及び吊り下げた資材の荷台（図示されていない）を持ち上げるほどであれば、フック１１４を持ち上げることになる。フックは、プーリ１１８がプーリ１１６に接するまで持ち上がることができる。      
【００１３】
ケーブルがさらに引っ張られ、その力が吊り下げの重量を越えていると、ホイストは接していた床面を離れて上がる。逆に、フック上の重量がある限界値よりも重いときには、リフトケーブルの張力はフレーム全体にかかる。そのような場合、フレームをその接する床面に定着させることが必要になる。      
【００１４】
本発明の別の好ましい実施の形態では、ホイストのフレームの下部アームに独立したウィンチが設けられ、フックを上げ下げする手段としている。これは、図６を参照して説明される。      
【００１５】
この実施の形態では、クレーンから吊り下げられたケーブル１５０が、ホイストに固定して結び付けられている。リール１５２は、モータ（図示されていない）によって動かされ、作業者がモータを動かすと、リール１５２がケーブル１５４を巻きあるいは緩めて、フック１５６を矢印１５８方向の上下に動かすことになる。このときケーブル１５４は、プーリ１６０，１６２によって作られたルートをスライドする。
【００１６】
この実施の形態で構造上別に変形して、ホイストの下部アームが、資材を運ぶプーリの動くレールとして使用される例がある。ギヤーや資材が精密な位置決めされることが要求される場合には、水平の軌道に沿って行う機械的移動装置が有用となることがある。
【図面の簡単な説明】
【００１７】
【図１】本発明の吊り下げ型ホイストの概略図である。
【図２】床面を滑る車が挿入された状態を示す本発明の吊り下げ型ホイストの概略図である。
【図３】床面に定着された本発明の吊り下げ型ホイストの概略図である。
【図４】プーリとケーブルアッセンブリを示す本発明の吊り下げ型ホイストの好ましい実施の形態を示す概略図である；
【図５】床面に定着された本発明の吊り下げ型ホイストの概略図である。
【図６】フックプーリが、第２のプーリと固着点とから垂直に移動可能に吊り下げられた本発明の実施の形態を示す概略図である。
【図１】
2006517271.tif 000003
【図２】
2006517271.tif 000004
【図３】
2006517271.tif 000005
【図４】
2006517271.tif 000006
【図５】
2006517271.tif 000007
【図６】
2006517271.tif 000008
【国際調査報告】
2006517271.tif 000009